(57)【要約】【課題】本発明は、外部の画像を機器の接続処理を行うことなく、安全かつ容易に画像処理装置に取り込んで画像処理する。【解決手段】画像処理システム１は、携帯端末装置ＫＴが、そのディスプレイに、１ページ分の画像が複数ページに分割された分割画像を所定の表示条件に従って所定ページ数分表示するとともに、該表示条件及び該分割画像の処理条件を条件画像として表示する。画像形成装置Ｇｋは、携帯端末装置ＫＴの表示する条件画像及び分割画像をカメラ１２で撮像し、条件取得部５０が、条件画像から表示条件及び処理条件を取得する。画像形成装置Ｇｋは、表示条件に基づいてカメラ１２に携帯端末装置ＫＴの表示する分割画像を撮像させて、ページ画像加工合成部３７が、処理条件に基づいて、１ページ分の複数の分割画像を、１ページのページ画像に合成し、ページ画像をエンジン部１３で画像処理する。【選択図】          図１
2015056882.tif 000002
【特許請求の範囲】
【請求項１】
１ページ分の画像が複数ページに分割された分割画像を所定の提示順等の提示条件に従って所定ページ数分提示するとともに、該分割画像の該提示条件及び該分割画像の処理条件を条件画像として提示する画像提示手段と、
前記画像提示手段の提示する前記条件画像及び前記分割画像を撮像する撮像手段と、
前記撮像手段の撮像した前記条件画像から前記提示条件及び前記処理条件を取得する条件取得手段と、
前記提示条件に基づいて前記撮像手段に前記分割画像を撮像させて、撮像された該分割画像を前記処理条件に基づいて、１ページ分の複数の分割画像を、１ページのページ画像に合成する画像合成手段と、
前記画像合成手段の合成した所定ページ数分のページ画像を前記処理条件に基づいて画像処理する画像処理手段と、
を備えていることを特徴とする画像処理システム。
【請求項２】
前記画像提示手段は、
画像を表示する表示手段と、
前記表示手段に、前記条件画像を表示させた後、前記提示条件に従って前記分割画像を順次表示させる表示制御手段と、
を備えている表示装置であることを特徴とする請求項１記載の画像処理システム。
【請求項３】
前記画像提示手段は、
画像を表示する表示手段と、
前記表示手段に、前記条件画像を表示させた後、前記提示条件に従って前記分割画像を順次表示させる表示制御手段と、
を備えた携帯端末装置であることを特徴とする請求項１記載の画像処理システム。
【請求項４】
前記画像提示手段は、
前記条件画像及び前記分割画像をイメージデータとして提示し、
前記処理条件取得手段は、
前記イメージデータからなる前記条件画像から前記提示条件及び前記処理条件を取得し、
前記画像合成手段は、
前記イメージデータからなる複数の前記分割画像を１ページのページ画像に合成することを特徴とする請求項１から請求項３のいずれかに記載の画像処理システム。
【請求項５】
前記画像提示手段は、
前記条件画像及び前記分割画像へ変換可能なコードで提示し、
前記処理条件取得手段は、
前記コードを認識して前記提示条件及び前記処理条件に変換し、
前記画像合成手段は、
前記分割画像に対応する前記コードを認識して該分割画像に変換し、複数の該分割画像を１ページのページ画像に合成することを特徴とする請求項１から請求項３のいずれかに記載の画像処理システム。
【請求項６】
１ページ分の画像が複数ページに分割された分割画像を所定の提示順等の提示条件に従って所定ページ数分提示するとともに、該分割画像の該提示条件及び該分割画像の処理条件を条件画像として提示する画像提示手段によって提示される該条件画像及び該分割画像を撮像する撮像手段と、
前記撮像手段の撮像した前記条件画像から前記提示条件及び前記処理条件を取得する条件取得手段と、
前記提示条件に基づいて前記撮像手段に前記分割画像を撮像させて、撮像された該分割画像を前記処理条件に基づいて、１ページ分の複数の分割画像を、１ページのページ画像に合成する画像合成手段と、
前記画像合成手段の合成した所定ページ数分のページ画像を前記処理条件に基づいて画像処理する画像処理手段と、
を備えていることを特徴とする画像処理装置。
【請求項７】
１ページ分の画像が複数ページに分割された分割画像を所定の提示順等の提示条件に従って所定ページ数分提示するとともに、該分割画像の該提示条件及び該分割画像の処理条件を条件画像として提示する画像提示処理ステップと、
前記画像提示処理ステップで提示される前記条件画像及び前記分割画像を撮像する撮像処理ステップと、
前記撮像処理ステップで撮像された前記条件画像から前記提示条件及び前記処理条件を取得する条件取得処理ステップと、
前記提示条件に基づいて前記撮像処理ステップに前記分割画像を撮像させて、撮像された該分割画像を前記処理条件に基づいて、１ページ分の複数の分割画像を、１ページのページ画像に合成する画像合成処理ステップと、
前記画像合成処理ステップで合成された所定ページ数分のページ画像を前記処理条件に基づいて画像出力処理を行う画像処理ステップと、
を有することを特徴とする画像処理方法。
【請求項８】
制御プロセッサに、
１ページ分の画像が複数ページに分割された分割画像を所定の提示順等の提示条件に従って所定ページ数分提示するとともに、該分割画像の該提示条件及び該分割画像の処理条件を条件画像として提示する画像提示処理と、
前記画像提示処理で提示される前記条件画像及び前記分割画像を撮像する撮像処理と、
前記撮像処理で撮像された前記条件画像から前記提示条件及び前記処理条件を取得する条件取得処理と、
前記提示条件に基づいて前記撮像処理に前記分割画像を撮像させて、撮像された該分割画像を前記処理条件に基づいて、１ページ分の複数の分割画像を、１ページのページ画像に合成する画像合成処理と、
前記画像合成処理で合成された所定ページ数分のページ画像を前記処理条件に基づいて画像出力処理を行う画像処理と、
を実行させることを特徴とする画像処理プログラム。
【発明の詳細な説明】
【技術分野】
【０００１】
本発明は、画像処理システム、画像処理装置、画像処理方法及び画像処理プログラムに関し、詳細には、外部の画像を機器の接続処理を行うことなく、安全かつ容易に画像処理装置に取り込んで画像処理する画像処理システム、画像処理装置、画像処理方法及び画像処理プログラムに関する。
【背景技術】
【０００２】
複写装置、プリンタ装置、複合装置等の画像処理装置に画像データを取り込んで、各種画像処理、例えば、印刷出力、配信出力等を行うことがある。
【０００３】
このような場合、従来、画像処理装置に、専用ケーブルやＬＡＮ（Local Area Network）等のネットワークで外部機器と接続して、該外部機器と画像処理装置との通信設定を行った後、該外部機器から画像処理装置に画像データ及び該画像データに対する処理条件等を送信している。あるいは、画像処理装置が、メモリ媒体とのインターフェイスを備えているときには、該インターフェイスに、画像データが格納されているＵＳＢ（Universal Serial Bus）メモリ、ＳＤ（Secure Digital）カード等のメモリ媒体を接続して、該メモリ媒体内の画像データを画像処理装置に取り込んで画像処理する。
【０００４】
例えば、画像処理装置は、スマートフォンやタブレット端末等の携帯端末装置に保存されている画像データを受け取って、必要な画像処理を施した後に、印刷出力したり、配信出力等の画像処理を行うことがある。このような場合、上述のように、画像処理装置は、携帯端末装置に、有線、無線の通信方式で接続されて、通信が確立すると、画像データ及び処理条件等を携帯端末装置から受信する。あるいは、画像処理装置は、携帯端末装置から画像データがコピー等されたメモリ媒体が、インターフェイスに挿入されると、該メモリ媒体からインターフェイスを介して読み取る。そして、画像処理装置は、携帯端末装置から受け取った画像データに対して、トリミング、回転、解像度変換、変倍、色味調整等の処理条件で要求されている画像処理を施して、印刷出力や配信出力する。
【０００５】
このように、画像処理装置は、外部機器から画像データを取り込むためには、有線・無線で接続する場合には、物理的に配線接続して通信設定や通信操作を行なったり、無線を利用する場合においても通信設定や通信操作を行う必要があり、利用性が悪いという問題があった。また、画像処理装置は、メモリ媒体を利用して外部機器の画像データを取り込む場合には、外部機器からメモリ媒体への画像データのコピー、該メモリ媒体の画像処理装置への挿入、該メモリ媒体からの画像データの読み出し操作等をユーザが行う必要があり、利用性が悪いという問題があった。
【０００６】
また、画像処理装置においては、内部にハードディスク等の画像データを保管する画像処理装置も多くなってきており、画像データの改ざんやなりすまし等を防止して、データのセキュリティの確保が要求されてきている。そこで、画像処理装置は、接続の許可を取得した外部機器のみを接続できるようにしているものもある。
【０００７】
そして、従来、既存の画像供給源から供給される画像データを読み取って、所定の画像形成媒体上に当該画像データに対応する画像を形成するため、リアルタイムな画像処理を行うリアルタイム画像処理部を備えたリアルタイム画像処理装置において、被写体の画像を撮影し、その画像に応じた撮影画像データを出力するカメラ手段を備え、当該カメラ手段から出力された撮影画像データを、前記リアルタイム画像処理部で処理することにより、前記画像形成媒体上に被写体の写真を印刷して出力するリアルタイム画像処理装置が提案されている（特許文献１参照）。
【０００８】
この従来技術は、被写体をカメラ手段（以下、適宜、カメラという。）で１回撮影した撮影画像を用紙等の画像形成媒体上に印刷出力する。
【発明の概要】
【発明が解決しようとする課題】
【０００９】
しかしながら、上記公報記載の従来技術にあっては、被写体（以下、撮像対象という。）をカメラで１回撮影した撮影画像を印刷出力する。
【００１０】
たしかに、この従来技術を用いると、カメラで撮像対象を撮影することで、外部機器を画像処理装置に接続する手間を掛けることなく、また、メモリ媒体を利用した画像データの移動を行うことなく、撮像対象の画像データを画像処理装置に取り込むことができる。
【００１１】
ところが、撮像対象をカメラで１回撮影した撮影画像を印刷出力するため、カメラ（以下、適宜、撮影手段という。）の撮影範囲と撮像対象の大きさ及び要求される画像精度等から撮影手段による１回の撮影で撮影対象全体を撮影すると、要求される画像精度で要求される大きさの画像を撮影することができない場合がある。その結果、意図する画像精度と大きさの画像の画像データを画像処理装置に取り込むことができなかったり、利用性が悪いという問題があった。
【００１２】
そこで、本発明は、意図する精度と大きさの画像の画像データを、簡単かつ適切に取り込むことを目的としている。
【課題を解決するための手段】
【００１３】
上記目的を達成するために、請求項１記載の画像処理システムは、１ページ分の画像が複数ページに分割された分割画像を所定の提示順等の提示条件に従って所定ページ数分提示するとともに、該分割画像の該提示条件及び該分割画像の処理条件を条件画像として提示する画像提示手段と、前記画像提示手段の提示する前記条件画像及び前記分割画像を撮像する撮像手段と、前記撮像手段の撮像した前記条件画像から前記提示条件及び前記処理条件を取得する条件取得手段と、前記提示条件に基づいて前記撮像手段に前記分割画像を撮像させて、撮像された該分割画像を前記処理条件に基づいて、１ページ分の複数の分割画像を、１ページのページ画像に合成する画像合成手段と、前記画像合成手段の合成した所定ページ数分のページ画像を前記処理条件に基づいて画像処理する画像処理手段と、を備えていることを特徴としている。
【発明の効果】
【００１４】
本発明によれば、意図する精度と大きさの画像の画像データを、簡単かつ適切に取り込むことができる。
【図面の簡単な説明】
【００１５】
【図１】本発明の一実施例を適用した画像処理システムのブロック構成図。
【図２】画像形成装置の機能ブロック構成図。
【図３】画像分割と分割画像の提示順及び合成画像の一例を示す図。
【図４】画像提示開始時の画面の一例を示す図。
【図５】画像表示・処理条件取得処理を示すフローチャート。
【図６】画像取込・出力処理を示すフローチャート。
【図７】画像をコード表示する場合の一例を示す図。
【図８】分割画像がコード表示の場合における画像取込・出力処理を示すフローチャート。
【発明を実施するための形態】
【００１６】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１７】
図１〜図８は、本発明の画像処理システム、画像処理装置、画像処理方法及び画像処理プログラムの一実施例を示す図であり、図１は、本発明の画像処理システム、画像処理装置、画像処理方法及び画像処理プログラムの一実施例を適用した画像処理システム１のブロック構成図である。
【００１８】
図１において、画像処理システム１は、画像形成装置（画像処理装置）ＧＫと携帯端末装置（画像提示手段、表示装置）ＫＴを備えている。
【００１９】
画像形成装置ＧＫは、コントローラ部１１、カメラ１２、エンジン部１３、操作パネル１４等を備えているとともに、図示しないが、通常、外部Ｉ／Ｆ（インターフェイス）、ネットワークＩ／Ｆ及び電源部等を備えている。電源部は、商用電源電力を画像形成装置ＧＫの必要としている電圧・電流に整流・調整して、画像形成装置ＧＫの各部に供給する。
【００２０】
カメラ（撮像手段）１２は、例えば、デジタルカメラ等が用いられ、コントローラ部１１の制御下で、露出、ピント、シャッタ動作、シャッタスピード等が制御されて、撮像対象の撮像を行う。カメラ１２は、撮像した撮像対象の画像データを、コントローラ部１１へ出力する。
【００２１】
エンジン部（画像処理手段）１３は、プリンタエンジンやスキャナエンジン等を備えており、プリンタエンジンとしては、例えば、電子写真式プリンタ、インクジェットプリンタ等のプリンタエンジンが使用されている。
【００２２】
エンジン部１３のプリンタエンジンは、携帯端末装置ＫＴや図示しないホストコンピュータ等のホスト装置から送られてきた画像データまたはエンジン部１３のスキャナエンジンで読み取られた原稿の画像データからコントローラ部１１で変換されて渡される描画データ及び制御信号に基づいて、給紙部から送られてくる用紙に画像を印刷出力（画像形成出力）して、印刷済みの用紙を、排紙トレイ上に排出する。すなわち、エンジン部１３のプリンタエンジンは、電子写真方式のエンジンの場合、図示しないが、電子写真方式で用紙に描画データに基づいて印刷処理を行うのに必要な部品、例えば、感光体、帯電部、光書き込み部、現像部、転写部及びクリーニング部等からなる画像形成ユニットを備えており、プリンタエンジンがカラープリンタエンジンであるときには、画像形成ユニットをカラー分、例えば、ＣＭＹＫ分だけ備えている。プリンタエンジンは、描画データ及び制御信号により光書込部を動作させて、帯電部による一様に帯電されている感光体上に静電潜像を形成して、現像部によりトナーを感光体上に供給して現像してトナー画像を形成する。プリンタエンジンは、給紙部から用紙を感光体と転写部との間に給紙して、感光体上のトナー画像を転写部によって用紙に転写させ、トナー画像の転写された用紙を定着部に搬送して、定着部で加熱・加圧して用紙上のトナー画像を定着させることで、印刷処理を行う。
【００２３】
エンジン部１３のスキャナエンジンは、例えば、ＣＣＤ(Charge Coupled Device）を利用したラインイメージセンサ、アナログ／デジタル（Ａ／Ｄ）変換回路及びこれらを駆動する駆動回路等を備えており、一般的にＡＤＦを備えている。ＡＤＦには、複数枚の原稿がセットされ、ＡＤＦは、セットされた原稿を１枚ずつスキャナエンジンの原稿読み取り位置に送給する。スキャナエンジンは、ＡＤＦから搬送されてきた原稿を主走査及び副走査して原稿の濃淡情報から画像を所定の解像度で読み取って、例えば、ＲＧＢ各所定ビット（例えば、各８ビット）の画像データを生成して出力する。なお、スキャナエンジンは、ＣＣＤを用いたものに限るものではなく、例えば、ＣＩＳ（Contact Image Sensor：密着イメージセンサ）やＣＭＯＳ（Complementary Metal Oxide Semiconductor ）を用いたものであってもよい。
【００２４】
外部Ｉ／Ｆは、ＵＳＢ（Universal Serial Bus）ホストやデバイスの接続されるＵＳＢ  Ｉ／Ｆ、ＩＥＥＥ（Institute of Electrical and Electronic Engineers）１３９４Ｉ／Ｆ、ＩＥＥＥ１２８４Ｉ／Ｆ、ＳＤ  Ｉ／Ｆ等の各種Ｉ／Ｆであり、これらのＩ／Ｆに接続される相手先と信号やデータの授受を行う。図示しないネットワークＩ／Ｆは、ＬＡＮ（Local Area Network）等のネットワークに接続され、ネットワーク上の端末装置と通信して信号やデータの授受を行う。
【００２５】
操作パネル１４は、各種操作キー、各種ランプ及びディスプレイ等を備えており、操作キーは、ユーザによって、コピー操作、プリント操作、スキャナ操作、カメラ操作等の画像形成装置ＧＫの備えている各種動作要求操作に使用される。また、操作パネル１４は、ユーザを特定するユーザ特定情報、例えば、ユーザＩＤの入力操作等に使用されて、操作内容がコントローラ部１１によって検出される。操作パネル１４は、コントローラ部１１の制御下で、画像形成装置ＧＫの動作状況の表示、操作パネル１４のキー操作内容及び画像形成装置ＧＫからユーザに通知する各種情報を表示出力する。
【００２６】
コントローラ部１１は、ＣＰＵ（Central Processing Unit ）２１、ＲＯＭ（Read Only Memory）２２、ＲＡＭ（Random Access Memory）２３、ＮＶＲＡＭ（Non-Volatile Random Access Memory）２４、カメラＩ／Ｆ２５、エンジンＩ／Ｆ２６及びパネルＩ／Ｆ２７等を備えており、各部は、バス２８で接続されている。
【００２７】
そして、画像形成装置Ｇｋは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像処理方法のうち、画像処理装置としての画像形成装置Ｇｋで実行する部分の画像処理プログラムを読み込んでＲＯＭ２２等に導入することで、後述する意図する精度と大きさの画像の画像データを、簡単かつ適切に取り込む画像処理方法を実行する画像処理装置である画像形成装置Ｇｋとして構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２８】
ＲＯＭ２２は、コントローラ部１１内でのデータの処理や管理及び周辺モジュールを制御するためのプログラム及び必要な各種データを格納している。例えば、ＲＯＭ２２は、画像形成装置ＧＫとしての基本処理プログラム及び本発明の画像処理方法のうち画像形成装置ＧＫで実行する必要のある処理を実行するための画像処理プログラム及び各プログラムを実行するのに必要な各種データを格納している。
【００２９】
ＣＰＵ２１は、ＲＯＭ２２に格納されているプログラムに基づいて、ＲＡＭ２３をワークメモリ及びフレームメモリとして利用しつつ、画像形成装置ＧＫの各部を制御して、印刷処理、スキャナ処理等の画像処理を行う。特に、ＣＰＵ２１は、後述するカメラ１２を利用した複数に分割された分割画像データの撮像画像から１枚の画像を生成する画像処理方法のうち画像処理装置として必要な処理を実行する。
【００３０】
ＲＡＭ２３は、ＣＰＵ２１のワークメモリとして利用されるとともに、ホストコンピュータＰｃからの画像データやエンジン部１３のスキャナで読み取られた画像データ及びカメラ１２で撮像された画像データをページ単位に管理して一時記憶するフレームメモリ及びフレームメモリに記憶されたデータを実際の印刷に適した描画データに変換して展開されるビットマップメモリ等として利用される。ＲＡＭ２３は、この画像データまたは画像データから変換された描画データ、あるいは、中間データ、または、画像データ、プレビュー画像データを、複数ページ分蓄積する容量を有している。特に、ＲＡＭ２３は、本発明の画像処理方法を実行することで発生する分割画像データ、ページ画像データ及びページ画像を構築するのに必要なページ画像フレームがＣＰＵ２１の制御下で格納され、また、生成される。
【００３１】
ＮＶＲＡＭ２４は、画像形成装置ＧＫの電源が切られているときにも記憶内容を保持するメモリであり、画像形成装置ＧＫの電源がオフの際にも保持する必要のあるシステム設定値等がＣＰＵ２１の制御下で格納される。
【００３２】
カメラＩ／Ｆ２５には、上記カメラ１２が接続され、ＣＰＵ２１の制御下で、カメラ１２の動作を制御し、カメラ１２に撮像させた撮像対象の画像データを取得してＣＰＵ２１へ出力する。
【００３３】
エンジンＩ／Ｆ２６には、上記エンジン部１３が接続されており、エンジンＩ／Ｆ２６は、コントローラ部１１からエンジン部１３への制御信号や描画データの出力及びエンジン部１３からコントローラ部１１へのステータス信号や読み取り結果である画像データの受け取りを行う。
【００３４】
パネルＩ／Ｆ２７には、上記操作パネル１４が接続され、パネルＩ／Ｆ２７は、コントローラ部１１と操作パネル１４との間で信号及び表示データ等のデータの授受を行う。
【００３５】
携帯端末装置ＫＴは、ＯＳとしてAndroid（登録商標）、IOS（登録商標）、windows（登録商標）等を搭載したスマートフォンやタブレット等の携帯性を有する端末装置である。携帯端末装置ＫＴは、図示しないが、ＣＰＵ（表示制御手段）、ＲＯＭ、ＲＡＭ、不揮発性メモリ、ＩＰネットワークＩ／Ｆ及び入力Ｉ／Ｆ等を備えているとともに、特に、ディスプレイ（表示手段）及び操作部等を備えている。すなわち、携帯端末装置ＫＴは、表示手段としてのディスプレイと、該ディスプレイへの画像表示を制御するＣＰＵと、を備えている。
【００３６】
携帯端末装置ＫＴは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の画像処理方法のうち携帯端末装置ＫＴで実行する必要のある画像処理方法を実行する画像処理プログラムを読み込んで、ＲＯＭ等に導入することで、後述する意図する精度と大きさの画像の画像データを、簡単かつ適切に画像形成装置ＧＫに取り込ませる画像処理方法を実行する携帯端末装置として構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３７】
そして、携帯端末装置ＫＴは、画像形成装置Ｇｋに撮像させたい画像を、ＣＰＵの制御下で、適宜の分割画像に分割してディスプレイに、所定のタイミングで順次表示（提示）させる。さらに、携帯端末装置ＫＴは、該画像を表示する前に、該分割画像の表示条件（提示条件）及び該分割画像の処理条件を条件画像ＪＧ（図４（ｂ）参照）としてディスプレイに表示（提示）する。
【００３８】
そして、画像形成装置ＧＫは、上記本発明の画像処理プログラムが導入されることで、図２に示すような機能ブロックが構築される。すなわち、画像形成装置Ｇｋは、そのコントローラ部１１に、コントロールシステム部３１、カメラＩ／Ｆ３２、パネルＩ／Ｆ３３、端末表示画像内容解析部３４、端末表示画像形式情報認識部３５、端末データ印刷条件決定部３６、ページ画像加工合成部３７、ジョブ保持部３８及びエンジンＩ／Ｆ３９等が構築される。また、画像形成装置Ｇｋは、そのエンジン部１３に、エンジンコントロールシステム部４１及びコントローラＩ／Ｆ４２が構築される。
【００３９】
コントロールシステム部３１は、画像形成装置Ｇｋの各部を制御して、本発明の画像処理方法を実行する。カメラＩ／Ｆ３２は、コントロールシステム部３１の制御下で、カメラ１の動作を制御して、撮像対象を撮像させて、該撮像対象の画像データを取り込む。パネルＩ／Ｆ３３は、コントロールシステム部３１の制御下で、本発明の画像処理方法を実行する上で、必要な情報を操作パネル１４との間で授受する。
【００４０】
端末表示画像内容解析部３４は、カメラＩ／Ｆ３２がカメラ１２から取得した画像データから携帯端末装置ＫＴのディスプレイに表示された画像内容を解析し、解析結果をコントロールシステム部３１に渡す。端末表示画像内容解析部３４は、文字認識機能、記号認識機能等を備えており、携帯端末装置ＫＴのディスプレイに表示されている画像が文字情報や記号情報であるときには、該画像の文字や記号を認識する。
【００４１】
端末表示画像形式情報認識部３５は、端末表示画像内容解析部３４の解析結果をコントロールシステム部３１から受け取って、カメラ１２が表示する分割画像の処理に必要な表示条件（提示条件）及び処理条件を認識し、認識結果をコントロールシステム部３１へ渡す。端末表示画像形式情報認識部３５は、上記表示条件として、例えば、携帯端末装置ＫＴのディスプレイに表示される画像の形式、画像データの分割数（分割画像数）、分割画像の表示順番、撮像タイミング（撮像開始、撮像継続、撮像終了の各タイミング）等を認識する。また、端末表示画像形式情報認識部３５は、上記処理条件として、画像サイズ、画像表示解像度、１ページ当たりの分割画像数、総ページ数、画像回転、印刷条件（解像度、カラー／モノクロ、用紙サイズ、変倍率等）等を認識する。
【００４２】
端末データ印刷条件決定部３６は、コントロールシステム部３１から端末表示画像形式情報認識部３５が認識した分割画像の処理条件を受け取って、該処理条件にもとづいて、画像処理後の画像データ（描画データ）に基づくエンジン部１３での印刷条件を決定する。端末データ印刷条件決定部３６は、決定した印刷条件をコントロールシステム部３１へ渡す。
【００４３】
なお、上記端末表示画像内容解析部３４、端末表示画像形式情報認識部３５及び端末データ印刷条件決定部３６は、全体として、撮像手段としてのカメラ１２の撮像した条件画像ＪＧから前記表示条件（提示条件）及び前記処理条件を取得する条件取得処理を実行する条件取得部（条件取得手段）５０として機能している。
【００４４】
ページ画像加工合成部（画像合成手段）３７は、端末表示画像形式情報認識部３５の認識結果に基づいて、カメラＩ／Ｆ３２がカメラ１２から受け取ってコントロールシステム部３１から渡される１ページの画像を構成する分割画像を１ページの画像データに画像合成する。また、ページ画像加工合成部３７は、端末表示画像形式情報認識部３５の上記処理条件の認識結果に基づいて、分割画像やページ画像データ（１ページに合成した画像データ）に対して、必要な画像処理、例えば、変倍処理、回転処理、解像度変換処理等を施す。ページ画像加工合成部３７は、画像合成したページ画像データをコントロールシステム部３１に渡す。
【００４５】
ジョブ保持部３８は、コントロールシステム部３１から渡されるページ画像データを、印刷ジョブ毎に保管管理する。すなわち、ジョブ保持部３８は、印刷ジョブが、１ページのページ画像データで構成されているときには、１ページのページ画像データを単独の印刷ジョブとして保管管理する。また、ジョブ保持部３８は、印刷ジョブが、複数ページのページ画像データで構成されるときには、該印刷ジョブを、複数ページのページ画像データからなる印刷ジョブとして、保管管理する。
【００４６】
コントロールシステム部３１は、ジョブ保持部３８に保管管理されている印刷ジョブのページ画像データをデータ印刷条件決定部３６の決定した印刷条件の印刷制御信号とともに、エンジンＩ／Ｆ３９を介してコントローラＩ／Ｆ４２へ送信する。コントローラＩ／Ｆ４２は、受け取ったページ画像データと制御信号をエンジンコントロールシステム部４１へ渡し、エンジンコントロールシステム部４１が、エンジン部１３を制御して、ページ画像データと制御信号に基づいて画像を用紙に印刷出力させる。
【００４７】
なお、画像形成装置Ｇｋは、ネットワークＩ／Ｆを備えて、該ネットワークＩ／Ｆから画像データを配信する配信機能を備えていてもよい。この場合、画像形成装置Ｇｋは、ページ画像データに対する画像処理として、印刷出力だけでなく、配信処理を行ってもよい。また、画像形成装置Ｇｋは、大容量の記憶部を備えているときには、ページ画像データに対する画像処理として、大容量記憶部への蓄積処理を行ってもよい。
【００４８】
次に、本実施例の作用を説明する。本実施例の画像処理システム１は、意図する精度と大きさの画像の画像データを、画像形成装置ＧＫに簡単かつ適切に取り込む。
【００４９】
すなわち、画像処理システム１は、画像形成装置Ｇｋに画像データを取り込んで、必要な画像処理を施した後、印刷出力、配信出力、蓄積処理等の画像処理を行う。このとき、画像処理システム１は、大きな画像であっても、複数に分割した分割画像を、携帯端末装置ＫＴのディスプレイに表示させて、この分割画像を、画像形成装置Ｇｋが、カメラ１２を利用して撮像し、撮像した分割画像データを、処理条件に応じて合成して画像処理する。
【００５０】
いま、図３（ａ）に示すような元画像Ｇ０を携帯端末装置ＫＴから画像形成装置Ｇｋに取り込ませるものとして説明する。携帯端末装置ＫＴは、元画像Ｇ０をそのまま全体をディスプレイに表示させると、画像が小さく粗い画像となる。
【００５１】
そこで、携帯端末装置ＫＴは、元画像Ｇ０を、例えば、図３（ａ）に示すように、横方向に３つ、縦方向に３つの合計９つの分割画像Ｇ１〜Ｇ９に分割して、図３（ａ）に矢印で示す順番にディスプレイに表示させる。図３（ａ）の場合、元画像Ｇ０を９つの分割画像Ｇ１〜Ｇ９に分割しているが、分割数は、元画像Ｇ０の大きさ、ユーザの意図する画質等から携帯端末装置ＫＴの操作等によって決定される。また、携帯端末装置ＫＴは、図３（ａ）では、分割画像Ｇ１〜Ｇ９を、図２に矢印で示すように、最上段左端の分割画像Ｇ１から右方向に最上段右端の分割画像Ｇ３まで表示させると、下段左端の分割画像Ｇ４から右端の分割画像Ｇ６までを順次表示させる。携帯端末装置ＫＴは、分割画像Ｇ６までを表示させると、下段左端の分割画像Ｇ７から右端の分割画像Ｇ９までを順次表示させて、１ページ分の分割画像の表示を完了する。携帯端末装置ＫＴは、元画像Ｇ０が、複数ページあるときには、上記分割画像Ｇ１〜Ｇ９までの表示をページ数分繰り返し行う。
【００５２】
画像処理システム１は、携帯端末装置ＫＴの画像データを画像形成装置ＧＫに取得させて画像処理させるためには、携帯端末装置ＫＴのディスプレイに表示する画像の条件である表示条件（提示条件）及び取得させた画像を処理させるための処理条件を、携帯端末装置ＫＴから画像形成装置ＧＫに指示する必要がある。
【００５３】
そこで、ユーザは、携帯端末装置ＫＴに、印刷する原稿の画像サイズ、画像表示解像度、１ページ当たりの画像分割数、総ページ数、印刷条件（解像度、カラー／モノクロ、用紙サイズ、変倍率）等を入力操作する。携帯端末装置ＫＴは、該入力操作に応じて、画像形成装置ＧＫに通知する条件画像ＪＧを生成する。携帯端末装置ＫＴは、例えば、ディスプレイに条件設定画面を表示し、ユーザが適宜設定操作することで、表示条件と処理条件を取得する。携帯端末装置ＫＴは、表示条件と取得条件を取得すると、処理対象の元画像Ｇ０に対応づけて内部メモリに保存する。
【００５４】
そして、ユーザは、携帯端末装置ＫＴの元画像Ｇ０を、画像形成装置ＧＫに取り込ませる際には、携帯端末装置ＫＴを画像形成装置Ｇｋのカメラ１２の撮像範囲に設置し、画像提示開始操作を、操作ボタン等で行う。ユーザは、続けて、画像形成装置Ｇｋの操作パネル１４を操作して、カメラ１２による画像取込開始操作を指示する。
【００５５】
携帯端末装置ＫＴは、画像提示開始操作があると、例えば、図４（ａ）に示すように、携帯端末装置ＫＴのディスプレイＤｐのデータ表示枠Ａｒ内に、開始認識マークＭｋを、データ表示枠Ａｒ外に携帯端末装置ＫＴの型式（図４（ａ）では、「型式：ＡＡ００１」）を表示させる。携帯端末装置ＫＴは、この開始認識マークＭｋを、ディスプレイＤｐのデータ表示枠Ａｒ内において、予め決められた大きさ、位置に表示し、画像形成装置Ｇｋは、この開始認識マークＭｋを解析することで、カメラ１２のピント、トリミング領域及び色合い調整を行うことができる。
【００５６】
そして、画像形成装置Ｇｋは、上記画像取込読取開始操作があると、図５に示すように、画像表示・処理条件取得処理を行う。なお、図５においては、画像形成装置Ｇｋが、カメラ１２を使用して携帯端末装置ＫＴから取得した画像データに基づいて、画像出力処理として、用紙に画像を印刷出力する場合について説明する。そして、カメラ１２から取得した画像データに基づく画像出力処理としては、印刷出力に限るものではなく、例えば、配信出力処理、蓄積処理等であってもよい。
【００５７】
まず、画像形成装置Ｇｋは、カメラ１２を駆動させて、画像の読み込み、すなわち、携帯端末装置ＫＴのディスプレイＤｐに表示されている画像の読み込みを行う（ステップＳ１０１）。このとき、携帯端末装置ＫＴは、図４（ａ）に示したような開始認識マークＭｋを、ディスプレイＤｐのデータ表示枠Ａｒ内に表示し、データ表示枠Ａｒ外に携帯端末装置ＫＴの型式が表示している。
【００５８】
画像形成装置Ｇｋは、カメラ１２の撮像した画像を、カメラＩ／Ｆ３２を介して端末表示画像内容解析部３４に取り込み、画像解析する。
【００５９】
画像形成装置Ｇｋは、端末表示画像内容解析部３４が画像を認識し（ステップＳ１０２）、認識した画像が開始認識マークＭｋであるかチェックする（ステップＳ１０３）。
【００６０】
ステップＳ１０３で、開始認識マークＭｋでないとき（ステップＳ１０３で、ＮＯのとき）には、画像形成装置Ｇｋは、ステップＳ１０１に戻って、再度、カメラ１２からの画像の取り込みから同様に処理する（ステップＳ１０１〜Ｓ１０３）。
【００６１】
画像形成装置Ｇｋは、ステップＳ１０３で、認識した画像が開始認識マークＭｋであると（ステップＳ１０３で、ＹＥＳのとき）、端末表示画像内容解析部３４が、取り込んだ画像データの解析を行う。画像形成装置Ｇｋは、端末表示画像形式情報認識部３５が、端末表示画像内容解析部３４の解析結果から携帯端末装置ＫＴの型式を認識する。端末表示画像形式情報認識部３５は、さらに、開始認識マークＭｋから携帯端末装置ＫＴのディスプレイ（画面）Ｄｐのスペック、カメラ１２の読み込み時のピント、トリミング領域及び色合い調整のデータを取得する。コントロールシステム部３１は、このデータに基づいて、カメラＩ／Ｆ３２を介して画像読取時の調整を行う（ステップＳ１０４）。
【００６２】
コントロールシステム部３１は、次に、カメラ受信印刷用に、処理に必要な各部のリソースを確保する等の印刷準備を行う（ステップＳ１０５）。
【００６３】
コントロールシステム部３１は、印刷準備が完了すると、操作パネル１４のディスプレイに、例えば、「印刷中です」等の他の操作がユーザによって行われることを防止するためと印刷準備が完了したことを通知するための表示を行う（ステップＳ１０６）。
【００６４】
ユーザは、画像形成装置Ｇｋの操作パネル１４のディスプレイに、「印刷中です」等の準備完了を通知する表示が行われると、携帯端末装置ＫＴのディスプレイＤｐに表示されている開始ボタンＢ１のタッチ操作を行う。
【００６５】
携帯端末装置ＫＴは、開始ボタンＢ１の操作が行われると、図４（ｂ）に示すように、表示枠Ａｒ内に、表示条件（提示条件）及び処理条件（印刷条件）を示す条件画像ＪＧを、予め設定されている条件表示時間だけ表示する。
【００６６】
条件画像ＪＧは、図４（ｂ）では、文字画像によって、原稿ファイル名、総ページ数、原稿の画像サイズ、表示条件として、表示データ（イメージデータまたはファイルデータ）、表示解像度、分割数（元画像を分割した分割画像の数）、分割順番（分割画像の表示順番）、タイミング（分割画像の表示時間）等を、また、印刷条件として、用紙サイズ、辺倍率、印刷解像度及びカラー／モノクロ等が表示されている。なお、図４（ｂ）では、データ表示枠Ａｒの下に、条件表示時間の残り時間をカウントダウンとして表示している。
【００６７】
携帯端末装置ＫＴは、この条件画像ＪＧの表示を上記条件表示時間だけ表示すると、該条件画像ＪＧで通知した表示条件に従って、上記タイミング毎に、上記分割順番に従って、分割画像を切り替えてディスプレイＤｐのデータ表示枠Ａｒ内に表示する。
【００６８】
そして、画像形成装置Ｇｋは、カメラ１２を駆動させて、画像の読み込み、すなわち、携帯端末装置ＫＴのディスプレイＤｐの表示枠Ａｒ内に表示されている画像の読み込みを行う（ステップＳ１０７）。このとき、携帯端末装置ＫＴは、図４（ｂ）に示したような条件画像ＪＧを、ディスプレイＤｐのデータ表示枠Ａｒ内に表示し、データ表示枠Ａｒ外にカウントダウンが表示されている。
【００６９】
画像形成装置Ｇｋは、カメラ１２の撮像した画像を、カメラＩ／Ｆ３２を介して端末表示画像内容解析部３４に取り込み、画像解析する。
【００７０】
画像形成装置Ｇｋは、端末表示画像内容解析部３４が画像を認識し（ステップＳ１０８）、認識した画像が条件画像ＪＧであるかチェックする（ステップＳ１０９）。
【００７１】
ステップＳ１０９で、条件画像ＪＧでないとき（ステップＳ１０９で、ＮＯのとき）には、画像形成装置Ｇｋは、ステップＳ１０７に戻って、再度、カメラ１２からの画像の取り込みから上記同様に処理する（ステップＳ１０７〜Ｓ１０９）。
【００７２】
画像形成装置Ｇｋは、ステップＳ１０９で、認識した画像が条件画像ＪＧであると（ステップＳ１０９で、ＹＥＳのとき）、端末表示画像形式情報認識部３５に、端末表示画像内容解析部３４が解析した条件画像ＪＧの解析結果から表示条件及び処理条件（図５では、原稿情報、表示条件及び印刷条件と記載）を認識させる。また、画像形成装置Ｇｋは、該条件画像ＪＧの解析結果から端末データ印刷条件決定部３６に印刷条件を決定させて、画像表示・処理条件取得処理を終了する（ステップＳ１１０）。
【００７３】
なお、上記説明においては、画像表示・処理条件を、携帯端末装置ＫＴのディスプレイＤｐに表示する条件画像ＪＧを画像形成装置Ｇｋがカメラ１２で撮像して認識することで取得しているが、画像形成装置Ｇｋによる画像表示・処理条件の取得は、上記方法に限るものではない。例えば、ユーザが、画像形成装置Ｇｋの操作パネル１４を利用して操作入力してもよい。
【００７４】
そして、画像形成装置Ｇｋは、画像表示・処理条件の認識を完了すると、上記タイミングで携帯端末装置のディスプレイＤｐに順次表示される画像をカメラ１２で読み込んで、１ページのページ画像に合成して出力する画像取込・出力処理を図６に示すように行う。
【００７５】
すなわち、画像形成装置Ｇｋは、携帯端末装置ＫＴのディスプレイＤｐへの分割画像の表示タイミングに合わせて、カメラ１２で該ディスプレイＤＰの画像を読み込む（ステップＳ２０１）。画像形成装置Ｇｋは、読み込んだ画像を、端末表示画像内容解析部３４で解析して分割画像の画像認識を行ない、画像イメージ部分、すなわち、データ表示枠Ａｒ内の画像のみの取得を行う（ステップＳ２０２）。
【００７６】
コントロールシステム部３１は、端末表示画像内容解析部３４が解析して取得した分割画像を、ページ画像加工合成部３７に渡して、ページ画像加工合成部３７が、分割画像イメージを、ページ画像フレームに加工合成する（ステップＳ２０３）。すなわち、コントロールシステム部３１は、上記画像表示・処理条件取得処理が完了した段階で、ページ画像加工合成部３７に、１ページ分のページ画像フレームを生成させて、ＲＡＭ２３等で構築される内部メモリに展開させている。ページ画像加工合成部３７は、分割画像イメージがコントロールシステム部３１から渡されると、分割数と分割順番に基づいて、該分割画像イメージをページ画像フレームの対応する位置に加工合成する。
【００７７】
コントロールシステム部３１は、１つの分割画像イメージの加工合成が完了すると、１ページ分の加工合成が完了したかチェックする（ステップＳ２０４）。
【００７８】
ステップＳ２０４で、１ページ分の加工合成が完了していないとき（ステップＳ２０４で、ＮＯのとき）には、コントロールシステム部３１は、ステップＳ２０１に戻って同様の処理を行う（ステップＳ２０１〜Ｓ２０４）。
【００７９】
ステップＳ２０４で、１ページ分の加工合成が完了すると（ステップＳ２０４で、ＹＥＳのとき）、コントロールシステム部３１は、例えば、図３（ｂ）に示すように、当該ページ画像の生成を、合成１ページ画像Ｇｇとして確定する。コントロールシステム部３１は、確定した合成１ページ画像Ｇｇのページ画像データをジョブＩＤやファイル名等に関連付けてジョブ保持部３８に保管させる（ステップＳ２０５）。
【００８０】
コントロールシステム部３１は、次に、総ページ数分のページ画像作成が完了したか、すなわち、全てのページ画像データの作成が完了したかチェックする（ステップＳ２０６）。ステップＳ２０６で、全てのページ画像データの作成が完了していないとき（ステップＳ２０６で、ＮＯのとき）には、コントロールシステム部３１は、ページ画像加工合成部３７に、次のページ画像フレームを作成させる（ステップＳ２０７）。コントロールシステム部３１は、ページ画像フレームを作成させると、ステップＳ２０１に戻って、カメラ１２から次の分割画像を読み込む処理から上記同様に処理する（ステップＳ２０１〜Ｓ２０７）。
【００８１】
ステップＳ２０６で、全てのページ画像データの作成が完了すると、コントロールシステム部３１は、生成されたページ分のページ画像データに、必要な画像処理を施した後、エンジン部１３に印刷処理させる（ステップＳ２０８）。すなわち、コントロールシステム部３１は、全てのページ分のページ画像データを、ジョブ保持部３８に保管させると、１ページずつページ画像データを読み出して、ページ画像加工合成部３７に必要な画像処理を行わせ、印刷条件に基づく印刷制御信号とともに、エンジンＩ／Ｆ３９からエンジン部１３へ出力する。エンジン部１３は、コントローラＩ／Ｆ４２を介してエンジンコントロールシステム部４１がページ画像データと印刷制御信号を受け取ると、エンジン部１３の動作を制御して、用紙に画像を印刷出力する。
【００８２】
なお、上記説明においては、携帯端末装置ＫＴが画像データを、イメージ形式で保管しており、該イメージ形式の画像データを分割してディスプレイＤｐに表示して、携帯端末装置ＫＴのカメラ１２で撮像する場合について説明した。
【００８３】
ところが、携帯端末装置ＫＴは、画像データの保管形式としては、イメージ形式に限るものではなく、例えば、バイナリ形式等のファイルデータとして保管されている場合もある。このようなファイルデータの画像データは、イメージ形式の場合と異なり、コードで画像データを表現することができる。
【００８４】
そこで、携帯端末装置ＫＴは、図５に示した画像表示・処理条件取得処理において、条件画像ＪＧにおいて、表示データが、バイナリ形式等のファイルデータであること及びそのファイル形式を通知する。そして、携帯端末装置ＫＴは、分割画像を、例えば、図７に示すように、バイナリ形式のコードで表示する。
【００８５】
画像形成装置Ｇｋは、この画像表示・処理条件取得処理で、表示データがファイルデータであることを認識すると、端末表示画像内容解析部３４による分割画像の解析において、図７に示すように、バイナリ形式のコードから画像データを生成する。
【００８６】
すなわち、画像形成装置Ｇｋは、分割画像がバイナリ形式のコードとして携帯端末装置ＫＴのディスプレイＤｐに表示される場合には、図８に示すように、画像取込・出力処理を行う。
【００８７】
画像形成装置Ｇｋは、携帯端末装置ＫＴでのディスプレイＤｐへの分割画像の表示タイミングに合わせて、カメラ１２で該ディスプレイＤＰの画像を読み込む（ステップＳ３０１）。画像形成装置Ｇｋは、読み込んだ画像を、端末表示画像内容解析部３４で解析して分割画像の画像認識を行ない、画像イメージ部分、すなわち、データ表示枠Ａｒ内の画像のみを取得する。端末表示画像内容解析部３４は、取得した画像から文字コードを認識し、認識した文字コードを通知されたファイル形式のファイルコードデータへ変換して取得する（ステップＳ３０２）。
【００８８】
コントロールシステム部３１は、端末表示画像内容解析部３４が解析して取得した分割画像のファイルコードデータを、ページ画像加工合成部３７に渡して、ページ画像加工合成部３７が、画像ファイルデータとして合成する（ステップＳ３０３）。
【００８９】
コントロールシステム部３１は、１つの分割画像のファイルコードデータの画像ファイルデータとしての合成が完了すると、総ページ数分の画像ファイルデータを取得したかチェックする（ステップＳ３０４）。
【００９０】
ステップＳ３０４で、総ページ数分の画像ファイルデータの取得が完了していないとき（ステップＳ２０４で、ＮＯのとき）には、コントロールシステム部３１は、ステップＳ３０１に戻って、カメラ１２から次の分割画像を読み込む処理から上記同様に処理する（ステップＳ３０１〜Ｓ３０４）。
【００９１】
ステップＳ３０４で、総ページ分の画像ファイルデータの取得が完了すると、コントロールシステム部３１は、ページ画像加工合成部３７に、画像ファイルデータからページ画像を生成させる。ページ画像加工合成部３７は、このとき、画像ファイルデータが、複数ページ分のデータであると、そのページ分のページ画像を生成する（ステップＳ３０５）。ページ画像加工合成部３７は、生成したページ画像を、コントロールシステム部３１を介してジョブ保持部３８に保管させる。
【００９２】
コントロールシステム部３１は、ジョブ保持部３８に保管させたページ画像データを１ページずつ読み出して、順次、ページ分のページ画像を、エンジン部１３に印刷処理させる（ステップＳ３０６）。
【００９３】
なお、携帯端末装置ＫＴは、上記説明では、画像ファイルデータの表示形式として、バイナリ形式のコードでディスプレイＤｐに表示しているが、画像ファイルデータの表示形式としては、バイナリ形式のコードに限るものではない。例えば、携帯端末装置ＫＴは、画像形成装置Ｇｋがカメラ１２で撮像した画像から認識可能なパターンや記号として、画像ファイルデータを表示してもよい。
【００９４】
なお、上記説明においては、画像提示手段として、携帯端末装置ＫＴを用いた場合について説明したが、画像提示手段としては、携帯端末装置ＫＴに限るものではなく、例えば、画像を適宜のタイミングで順次表示することのできる表示装置、あるいは、人が、分割画像の描かれた画面や用紙等を適宜のタイミングで切り替えるものであってもよい。
【００９５】
このように、本実施例の画像処理システム１は、１ページ分の画像が複数ページに分割された分割画像を所定の表示順（提示順）等の表示条件（提示条件）に従って所定ページ数分表示（提示）するとともに、該分割画像の該表示条件及び該分割画像の処理条件を条件画像ＪＧとして表示する携帯端末装置（画像提示手段）ＫＴと、携帯端末装置ＫＴの表示する前記条件画像ＪＧ及び前記分割画像を撮像するカメラ（撮像手段）１２と、カメラ１２の撮像した前記条件画像ＪＧから前記表示条件及び前記処理条件を取得する条件取得部（条件取得手段）５０と、前記表示条件に基づいてカメラ１２に前記分割画像を撮像させて、撮像された該分割画像を前記処理条件に基づいて、１ページ分の複数の分割画像を、１ページのページ画像に合成するページ画像加工合成部（画像合成手段）３７と、ページ画像加工合成部３７の合成した所定ページ数分のページ画像を前記処理条件に基づいて画像処理するエンジン部（画像処理手段）１３と、を備えている。
【００９６】
したがって、表示手段である携帯端末装置ＫＴと画像形成装置ＧＫを物理的に接続することなく、また、直接通信することなく、携帯端末装置ＫＴに表示させたユーザの意図する精度の分割画像を正確にカメラ１２で撮像して１ページに合成して、ユーザの意図する精度で画像処理させることができる。その結果、ユーザの意図する精度と大きさの画像の画像データを、簡単かつ適切に画像形成装置Ｇｋに取り込むことができる。
【００９７】
また、本実施例の画像処理システム１は、その画像形成装置ＧＫが、１ページ分の画像が複数ページに分割された分割画像を所定の表示順（提示順）等の表示条件（提示条件）に従って所定ページ数分表示するとともに、該分割画像の該表示条件及び該分割画像の処理条件を条件画像ＪＧとして表示する携帯端末装置ＫＴによって表示される該条件画像ＪＧ及び該分割画像を撮像するカメラ１２と、カメラ１２の撮像した前記条件画像から前記表示条件及び前記処理条件を取得する条件取得部（条件取得手段）５０と、前記表示条件に基づいてカメラ１２に前記分割画像を撮像させて、撮像された該分割画像を前記処理条件に基づいて、１ページ分の複数の分割画像を、１ページのページ画像に合成するページ画像加工合成部（画像合成手段）３７と、ページ画像加工合成部３７の合成した所定ページ数分のページ画像を前記処理条件に基づいて画像処理するエンジン部（画像処理手段）１３と、を備えている。
【００９８】
したがって、表示手段である携帯端末装置ＫＴと画像形成装置ＧＫを物理的に接続することなく、また、直接通信することなく、携帯端末装置ＫＴに表示させたユーザの意図する精度の分割画像を、画像形成装置Ｇｋのカメラ１２で正確に撮像して１ページに合成して、ユーザの意図する精度で画像処理させることができる。その結果、ユーザの意図する精度と大きさの画像の画像データを、簡単かつ適切に画像形成装置Ｇｋに取り込むことができる。
【００９９】
さらに、本実施例の画像処理システム１は、１ページ分の画像が複数ページに分割された分割画像を所定の表示順（提示順）等の表示条件（提示条件）に従って所定ページ数分表示するとともに、該分割画像の該表示条件及び該分割画像の処理条件を条件画像ＪＧとして提示する画像提示処理ステップと、前記画像提示処理ステップで表示される前記条件画像ＪＧ及び前記分割画像を撮像する撮像処理ステップと、前記撮像処理ステップで撮像された前記条件画像ＪＧから前記表示条件及び前記処理条件を取得する条件取得処理ステップと、前記表示条件に基づいて前記撮像処理ステップに前記分割画像を撮像させて、撮像された該分割画像を前記処理条件に基づいて、１ページ分の複数の分割画像を、１ページのページ画像に合成する画像合成処理ステップと、前記画像合成処理ステップで合成された所定ページ数分のページ画像を前記処理条件に基づいて画像出力処理を行う画像処理ステップと、を有している画像処理方法を実行している。
【０１００】
したがって、表示手段である携帯端末装置ＫＴと画像形成装置ＧＫを物理的に接続することなく、また、直接通信することなく、携帯端末装置ＫＴに表示させたユーザの意図する精度の分割画像を正確にカメラ１２で撮像して１ページに合成して、ユーザの意図する精度で画像処理させることができる。その結果、ユーザの意図する精度と大きさの画像の画像データを、簡単かつ適切に画像形成装置Ｇｋに取り込むことができる。
【０１０１】
また、本実施例の画像処理システム１は、ＣＰＵ２１等の制御プロセッサに、１ページ分の画像が複数ページに分割された分割画像を所定の表示順（提示順）等の表示条件（提示条件）に従って所定ページ数分表示するとともに、該分割画像の該提示条件及び該分割画像の処理条件を条件画像として表示する画像提示処理と、前記画像提示処理で表示される前記条件画像ＪＧ及び前記分割画像を撮像する撮像処理と、前記撮像処理で撮像された前記条件画像から前記提示条件及び前記処理条件を取得する条件取得処理と、前記提示条件に基づいて前記撮像処理に前記分割画像を撮像させて、撮像された該分割画像を前記処理条件に基づいて、１ページ分の複数の分割画像を、１ページのページ画像に合成する画像合成処理と、前記画像合成処理で合成された所定ページ数分のページ画像を前記処理条件に基づいて画像出力処理を行う画像処理と、を実行させる画像処理プログラムを搭載している。
【０１０２】
したがって、表示手段である携帯端末装置ＫＴと画像形成装置ＧＫを物理的に接続することなく、また、直接通信することなく、携帯端末装置ＫＴに表示させたユーザの意図する精度の分割画像を正確にカメラ１２で撮像して１ページに合成して、ユーザの意図する精度で画像処理させることができる。その結果、ユーザの意図する精度と大きさの画像の画像データを、簡単かつ適切に画像形成装置Ｇｋに取り込むことができる。
【０１０３】
さらに、本実施例の画像処理システム１は、前記画像提示手段が、画像を表示する表示手段と、前記表示手段に、前記条件画像ＪＧを表示させた後、前記提示条件に従って前記分割画像を順次表示させる表示制御手段と、を備えている表示装置である。
【０１０４】
したがって、画像を表示可能なディスプレイを有する表示装置に、条件画像ＪＧを表示させた後に、分割画像を表示させることで、表示装置と画像形成装置ＧＫを物理的に接続することなく、また、直接通信することなく、表示装置に表示させたユーザの意図する精度の分割画像を正確にカメラ１２で撮像して１ページに合成して、ユーザの意図する精度で画像処理させることができる。その結果、表示装置を利用して、ユーザの意図する精度と大きさの画像の画像データを、簡単かつ適切に画像形成装置Ｇｋに取り込むことができ、利用性を向上させることができる。
【０１０５】
また、本実施例の画像処理システム１は、前記画像提示手段が、画像を表示する表示手段と、前記表示手段に、前記条件画像ＪＧを表示させた後、前記提示条件に従って前記分割画像を順次表示させる表示制御手段と、を備えた携帯端末装置である。
【０１０６】
したがって、画像を表示可能なディスプレイＤｐを有する携帯端末装置ＫＴに、条件画像ＪＧを表示させた後に、分割画像を表示させることで、携帯端末装置ＫＴと画像形成装置ＧＫを物理的に接続することなく、また、直接通信することなく、携帯端末装置ＫＴに表示させたユーザの意図する精度の分割画像を正確にカメラ１２で撮像して１ページに合成して、ユーザの意図する精度で画像処理させることができる。その結果、携帯端末装置ＫＴを利用して、ユーザの意図する精度と大きさの画像の画像データを、簡単かつ適切に画像形成装置Ｇｋに取り込むことができ、利用性を向上させることができる。
【０１０７】
さらに、本実施例の画像処理システム１は、前記画像提示手段が、前記条件画像ＪＧ及び前記分割画像をイメージデータとして提示し、前記条件取得部（処理条件取得手段）５０が、前記イメージデータからなる前記条件画像ＪＧから前記表示条件（提示条件）及び前記処理条件を取得し、前記ページ画像加工合成部（画像合成手段）３７が、前記イメージデータからなる複数の前記分割画像を１ページのページ画像に合成する。
【０１０８】
したがって、画像提示手段と画像形成装置Ｇｋを物理的に接続することなく、また、直接通信することなく、イメージデータとして表示（提示）される条件画像ＪＧと分割画像を、適切にかつ容易に取得して、ユーザの意図するページ画像として合成することができる。
【０１０９】
また、本実施例の画像処理システム１は、前記画像提示手段が、前記条件画像ＪＧ及び前記分割画像へ変換可能なコードで提示し、前記処理条件取得部（処理条件取得手段）５０が、前記コードを認識して前記表示条件（提示条件）及び前記処理条件に変換し、前記ページ画像加工合成部（画像合成手段）３７が、前記分割画像に対応する前記コードを認識して該分割画像に変換し、複数の該分割画像を１ページのページ画像に合成する。
【０１１０】
したがって、画像提示手段と画像形成装置Ｇｋを物理的に接続することなく、また、直接通信することなく、コードとして表示（提示）される条件画像ＪＧと分割画像を、適切にかつ容易に取得して認識し、ユーザの意図するページ画像として合成することができる。
【０１１１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【０１１２】
例えば、上記実施例においては、画像形成装置Ｇｋが、カメラ（撮像手段）１２、条件取得部（条件取得手段）５０、ページ画像加工合成部（画像合成手段）３７及びエンジン部（画像処理手段）１３を備えているが、画像形成装置Ｇｋが全てを備えている必要はなく、例えば、ネットワークで接続された機器が、上記各手段を、個別に、または、複数を搭載していて、処理結果をエンジン部１３を搭載する画像形成装置Ｇｋに送信してもよい。
【０１１３】
また、上記実施例において示した携帯端末装置ＫＴと画像形成装置Ｇｋによる画像処理システム１は、画像処理システムの構成の一例であり、本発明の画像処理の用途や目的に応じて種々のシステム構成レを構築することができる。
【符号の説明】
【０１１４】
１  画像処理システム
ＧＫ  画像形成装置
ＫＴ  携帯端末装置
１１  コントローラ部
１２  カメラ
１３  エンジン部
１４  操作パネル
２１  ＣＰＵ
２２  ＲＯＭ
２３  ＲＡＭ
２４  ＮＶＲＡＭ
２５  カメラＩ／Ｆ
２６  エンジンＩ／Ｆ
２７  パネルＩ／Ｆ
２８  バス
３１  コントロールシステム部
３２  カメラＩ／Ｆ
３３  パネルＩ／Ｆ
３４  端末表示画像内容解析部
３５  端末表示画像形式情報認識部
３６  端末データ印刷条件決定部
３７  ページ画像加工合成部
３８  ジョブ保持部
３９  エンジンＩ／Ｆ
４１  エンジンコントロールシステム部
４２  コントローラＩ／Ｆ
Ｇ０  元画像
Ｇｇ  合成１ページ画像
Ｇ１〜Ｇ９  分割画像
Ｄｐ  ディスプレイ
Ａｒ  データ表示枠
Ｍｋ  開始認識マーク
Ｂ１  開始ボタン
【先行技術文献】
【特許文献】
【０１１５】
【特許文献１】特開２００５−０２０２６０号公報
【図１】
2015056882.tif 000003
【図２】
2015056882.tif 000004
【図３】
2015056882.tif 000005
【図４】
2015056882.tif 000006
【図５】
2015056882.tif 000007
【図６】
2015056882.tif 000008
【図７】
2015056882.tif 000009
【図８】
2015056882.tif 000010